(57)【要約】  【課題】  チルト調整部における調整ネジ固定時の作業性向上と固定強度向上を両立することで信号品質の安定化を実現するディスク装置を提供する。  【解決手段】  チルト調整部において、穴部４０２ｂと突起部４０３ｄの間に隙間を形成することで調整ネジ４０３と調整軸４０２の間に確実に接着剤４０５が到達し、かつ、接着強度に影響を及ぼす接着剤４０５と調整軸４０２および調整ネジ４０３の接合部がベースシャーシ３０１の表面に露出しないように構成されている。また、接着剤４０５の塗布量について調整軸４０２の穴部４０２ｂから接着剤４０５が流れ出ないことを確認する程度の管理で問題ないため、調整ネジ４０３を接着固定する時の作業性向上と、調整ネジ４０３の固定強度確保による信号品質の安定化の両立を可能にする。【選択図】  図１６
2012043480.tif 000002
【特許請求の範囲】
【請求項１】
ベースシャーシと、前記ベースシャーシに設けられたディスク回転部と、前記ディスク回転部により回転されるディスクに対して光ビームを照射して記録または再生を行う光ピックアップと、前記ベースシャーシに設けられ、前記光ピックアップを前記ディスク回転部により回転されるディスクの径方向に移動可能に保持する光ピックアップガイド部と、前記ベースシャーシに設けられ、前記光ピックアップを前記ディスクの径方向に駆動する光ピックアップ駆動部と、前記ディスクに対して前記光ピックアップから照射された光ビームの光軸が垂直になるように前記ディスク回転部あるいは前記光ピックアップガイド部の傾きを調整するチルト調整部を備え、
前記チルト調整部は、前記ベースシャーシに設けられたメネジ部と、前記メネジ部に螺合するオネジ部を有する調整ネジと、前記ベースシャーシに対して前記調整ネジおよび前記ターンテーブルあるいは前記光ピックアップガイド部を付勢する付勢部材を有し、
前記調整ネジの前記オネジ部より先端側に前記オネジ部の外径より小径の突起部を設けるとともに、前記チルト調整部で前記調整ネジが進退し得るストロークでは、前記調整ネジに設けた突起部が前記メネジ部の中に位置するように配置したことを特徴とするディスク装置。
【請求項２】
前記メネジ部の前記調整ネジの進入方向端部に前記メネジ部の外径より大径の穴部を設けるとともに、前記チルト調整部で前記調整ネジが進退し得るストロークでは、前記調整ネジに設けた突起部が前記メネジ部に設けた穴部の中に位置するように配置したことを特徴とする請求項１に記載のディスク装置。
【請求項３】
前記チルト調整部は、前記ディスク回転部の傾きを調整する３箇所の調整部を有し、各々の箇所に設けた前記調整ネジと、前記ディスク回転部に設けたブラケットが接触することで、前記光ピックアップから照射された光ビームの光軸に対する前記ディスクの角度を垂直になるように調整するディスク回転部調整部であることを特徴とする請求項１または請求項２に記載のディスク装置。
【請求項４】
前記ディスク回転部がチルト調整で移動し得るストローク以上の移動を規制するための規制部材を前記ディスク回転部調整部に設けたことを特徴とする請求項１または請求項２または請求項３に記載のディスク装置。
【請求項５】
請求項１から４までの何れかに記載のディスク装置を備えたことを特徴とする電子装置。
【発明の詳細な説明】
【技術分野】
【０００１】
本発明は、ディスクの情報記録面に対して光ピックアップから照射された光ビームの光軸を垂直に調整するチルト調整部の調整ネジを隣接した部品に接着固定する時の作業性向上と、調整ネジの固定強度確保による信号品質の安定化の両立を図ったディスク装置に関するものである。
【背景技術】
【０００２】
従来のチルト調整部を備えたディスク装置は、ビスを締め付ければ補助取付板は押しバネを圧縮して回動し、取付体の一部側を持ち上げ、ビスを緩めれば前記と逆に押しバネの付勢で取付板は反対方向に回動し、取付体の一部側は下がる。そのため、取付体はガイド軸を中心として回動し、この取付体に取り付けられている光学式ピックアップの光軸が光学式ディスクに対して光学式ピックアップの移動方向と直角方向に傾いているのを調整することができる。即ち、光学式ピックアップのタンジェンシャル調整が行える構成を有している（例えば特許文献１参照）。
【特許文献１】特開平２−１８９７２０号公報
【発明の開示】
【発明が解決しようとする課題】
【０００３】
従来のチルト調整部を備えたディスク装置において、ディスク装置に対する振動やチルト調整後の組立作業等でビスが緩むことを防止するためにチルト調整後のビスを隣接する部品に接着固定することが一般的であった。図１ないし４は従来のディスク装置のチルト調整部における調整ネジの接着固定方法を示す側面断面図である。図１ないし４において、ベースシャーシ１に対してチルト調整される調整部材２は、ベースシャーシ１と調整部材２を一定方向に付勢する付勢部材（図示せず）の付勢力により、調整ネジ３の一部との接触を保ちつつ、調整ネジ３の進退に追従することで、ベースシャーシ１に対する調整部材２の高さを調整ネジ３で調整し、ディスクに対して光ピックアップから照射された光ビームの光軸が垂直になるように傾きを調整するチルト調整部を構成している。また、チルト調整後の調整ネジ３の緩みを防止するために、調整ネジ３とベースシャーシ１の間、または、調整ネジ３と調整部材２の間を接着剤４で固定していた。
【０００４】
しかしながら、接着剤４と周辺の部品とが接触しないように接着剤４と周辺の部品との間に隙間を確保するために、接着剤４を塗布する際の接着剤４の塗布範囲（図１ないし図４における寸法Ｊ）や塗布高さ（図１ないし図４における寸法Ｋ）を管理する必要があることと、ベースシャーシ１に設けたメネジ部周辺の形状や、接着剤４の粘性の影響で接着剤４が調整ネジ３まで確実に到達するかの確認が困難であり、調整ネジ３を接着固定する時の作業性向上と、調整ネジ３の固定強度確保による信号品質の安定化を両立することが困難であった。
【０００５】
本発明は、従来の問題を解決するためになされたもので、調整ネジを接着固定する時の作業性向上と、調整ネジの固定強度確保による信号品質の安定化を両立するディスク装置を提供することを目的とする。
【課題を解決するための手段】
【０００６】
本発明のディスク装置は、ベースシャーシと、前記ベースシャーシに設けられたディスク回転部と、前記ディスク回転部により回転されるディスクに対して光ビームを照射して
記録または再生を行う光ピックアップと、前記ベースシャーシに設けられ、前記光ピックアップを前記ディスク回転部により回転されるディスクの径方向に移動可能に保持する光ピックアップガイド部と、前記ベースシャーシに設けられ、前記光ピックアップを前記ディスクの径方向に駆動する光ピックアップ駆動部と、前記ディスクに対して前記光ピックアップから照射された光ビームの光軸が垂直になるように前記ディスク回転部あるいは前記光ピックアップガイド部の傾きを調整するチルト調整部を備え、前記チルト調整部は、前記ベースシャーシに設けられたメネジ部と、前記メネジ部に螺合するオネジ部を有する調整ネジと、前記ベースシャーシに対して前記調整ネジおよび前記ターンテーブルあるいは前記光ピックアップガイド部を付勢する付勢部材を有し、前記調整ネジの前記オネジ部より先端側に前記オネジ部の外径より小径の突起部を設けるとともに、前記チルト調整部で前記調整ネジが進退し得るストロークでは、前記調整ネジに設けた突起部が前記メネジ部の中に位置するように構成されている。
【０００７】
この構成により、前記チルト調整部による調整後、すなわち前記調整ネジの進退を完了した後、前記調整ネジを前記メネジ部に対して接着固定する際に、塗布する接着剤が前記メネジ部と前記突起部の間に形成された隙間により前記メネジ部の奥まで確実に到達するとともに、接着強度に影響を及ぼす接着剤と前記メネジ部および前記突起部の接合部が部品表面に露出しない構成が実現できる。また、接着剤の塗布量についても前記メネジ部から接着剤が表面に流れ出ないことを確認する程度の比較的簡単な管理で問題ない。よって、調整ネジを接着固定する時の作業性向上と、調整ネジの固定強度確保による信号品質の安定化を両立することができる。
【０００８】
ここで、信号品質の安定化とは、光ピックアップがディスクに記録された情報を読み取って信号化する場合の情報の読み取りの精度および光ピックアップがディスクに対して情報を記録する場合の書き込みの精度を高く維持できることを意味しており、以下の説明でも同様である。すなわち、本発明のディスク装置は、調整ネジの固定強度が確保されることで、調整ネジによって最適に調整された、ディスクと光ピックアップとの配置関係が振動や経時変化などによってズレてしまうことを防止できるものである。
【０００９】
また、本発明のディスク装置は、前記メネジ部の前記調整ネジの進入方向端部に前記メネジ部の外径より大径の穴部を設けるとともに、前記チルト調整部で前記調整ネジが進退し得るストロークでは、前記調整ネジに設けた突起部が前記メネジ部に設けた穴部の中に位置するように構成されている。
【００１０】
この構成により、前記調整ネジを前記メネジ部に対して接着固定する際に、塗布する接着剤が流れ込む隙間をより大きくできることで調整ネジ接着固定時の作業性向上と固定強度向上を両立することで信号品質の安定化を実現することができる。
【００１１】
また、本発明のチルト調整部は、前記ディスク回転部の傾きを調整する3箇所の調整部を有し、各々の箇所に設けた前記調整ネジと、前記ディスク回転部に設けたブラケットが接触することで、前記光ピックアップから照射された光ビームの光軸に対する前記ディスクの角度を垂直になるように調整するディスク回転部調整部で構成されている。
【００１２】
この構成により、前記ディスクに対して前記光ピックアップから照射された光ビームの光軸が垂直になるように前記ディスク回転部あるいは前記光ピックアップガイド部の傾きとともに、前記ディスクに対する前記光ピックアップの高さも同時に調整することで信号品質の向上を実現することができる。
【００１３】
また、本発明のディスク装置は、前記ディスク回転部がチルト調整で移動し得るストローク以上の移動を規制するための規制部材を前記ディスク回転部調整部に設けた構成を有
する。
【００１４】
この構成により、可動部を付製する弾性部材の可動域を制限でき、可動部が落下衝撃等により弾性部材の付勢力を超えるようなか荷重がかかった場合でも、前記弾性部材の破損を防ぐことができる。
【発明の効果】
【００１５】
以上の説明から明らかなように、本発明によれば、調整ネジのオネジ部より先端側にオネジ部の外径より小径の突起部を設けるとともに、チルト調整部で調整ネジが進退し得るストロークでは、調整ネジに設けた突起部の一部が前記メネジ部の中に位置するように構成されているため、チルト調整部による調整後、すなわち調整ネジの進退を完了した後、調整ネジをメネジ部に対して接着固定する際に、塗布する接着剤がメネジ部と突起部の間に形成された隙間によりメネジ部の奥まで確実に到達するとともに、接着強度に影響を及ぼす接着剤と前記メネジ部および前記突起部の接合部が部品表面に露出しない構成が実現できる。また、接着剤の塗布量についても前記メネジ部から接着剤が表面に流れ出ないことを確認する程度の比較的簡単な管理で問題ない。よって、調整ネジを接着固定する時の作業性向上と、調整ネジの固定強度確保による信号品質の安定化の両立を実現するディスク装置を提供することができるものである。
【発明を実施するための最良の形態】
【００１６】
以下、本発明の実施の形態のディスク装置について、図面を用いて説明する。
【００１７】
図５には、本発明の実施形態のディスク装置１００を内蔵する電子装置としてのカーオーディオ装置１０の全体斜視図が示されている。このカーオーディオ装置１０では、ディスク装置１００のほかに、ラジオ１１、カセットテープ再生装置１２等を内蔵しており、前面パネル１３には、全機能に共有される表示部１３ａや電源／ボリュームつまみ１３ｂに加えて、ディスク装置１００におけるディスク挿排口１０１ａ、ラジオ用のチューニングつまみ１１ａ、カセットテープ挿排口１２ａ等が設けられている。また、内部には、ラジオ１１、カセットテープ再生装置１２、ディスク装置１００等を制御する制御部（図示省略）が設けられている。
【００１８】
次に、ディスク装置１００について説明する。
【００１９】
図６は本発明の実施形態のディスク装置の要部の平面図である。
【００２０】
図６において、ディスク装置１００の筐体１０１の内部には、ディスク２００の記録再生を行うディスク記録再生ユニット３００が設けられている。
【００２１】
次に、ディスク記録再生ユニット３００について説明する。
【００２２】
図７は本発明の実施形態のディスク記録再生装置の要部の平面図、図８は本発明の実施形態におけるディスク記録再生ユニットの要部のＢ方向矢視図である。
【００２３】
図７、８において、ディスク記録再生ユニット３００は、ベースシャーシ３０１や、ディスク２００の中心を挟持するターンテーブル３０２ａや、このターンテーブル３０２ａを回転させるスピンドルモータ３０２や、ディスク２００をターンテーブル３０２ａに装着するクランプ機構（図示せず）を備えている。
【００２４】
また、ディスク記録再生ユニット３００は、ディスク２００の情報を記録再生するための光ピックアップ３０３や、光ピックアップ３０３をディスクの内周および外周方向に駆
動するトラバースモータ３０４や、トラバースモータ３０４に設けられ、トラバースモータ３０４の駆動力を光ピックアップ３０３に伝達する送りネジ３０５や、光ピックアップ３０３のディスクの内周および外周方向への移動をガイドする光ピックアップガイド部としてのガイド軸３０６とガイド軸３０７や、光ピックアップ３０３と送りネジ３０５を連結し、トラバースモータ３０４および送りネジ３０５の駆動力を光ピックアップ３０３に伝達することで光ピックアップ３０３のディスクの内周および外周方向に移動させる動力伝達部材３０８や、光ピックアップ３０３とガイド軸３０７との接触を保つための付勢部材３０９を備えている。
【００２５】
また、ディスク記録再生ユニット３００は、ターンテーブル３０２ａに装着されたディスク２００とガイド軸３０６およびガイド軸３０７との距離を変化させ、光ピックアップ３０３から照射された光ビーム３０３ａの光軸３０３ｂがディスク２００に対して垂直になるように調整するチルト調整部４００等を備えている。
【００２６】
次に、チルト調整部４００について説明する。
【００２７】
図９は本発明の実施形態におけるチルト調整部の要部の平面図、図１０は本発明の実施形態におけるチルト調整部の要部のベースシャーシ３０１を示す下面図、図１１は本発明の実施形態におけるスピンドルモータ３０２を示す下面図、図１２は本発明の実施形態におけるチルト調整部の要部のＡ方向矢視図、図１３は本発明の実施形態におけるチルト調整部の要部を示す図９におけるＧ−Ｇ断面図、図１４は本発明の実施形態におけるチルト調整部の要部のＡ方向矢視図、図１５は本発明の実施形態におけるチルト調整部の要部を示す図９におけるＨ−Ｈ断面図、図１６は本発明の実施形態におけるチルト調整部の要部を示す図９におけるＨ−Ｈ断面図である。なお、説明の都合上、図１５および図１６においける調整ネジ４０３については断面図としていない。
【００２８】
図９ないし１６において、チルト調整部４００は、ベースシャーシ３０１に設けられた２つのガイド軸４０１やメネジ部４０２ａを有する調整軸４０２を３つ備えている。また、スピンドルモータ３０２のブラケット３０２ｂには、ガイド軸４０１が挿入されるガイド穴３０２ｃとガイド長穴３０２ｄ、調整ネジ４０３が挿入される３つの調整穴３０２ｅを備えている。
【００２９】
ガイド穴３０２ｃとガイド長穴３０２ｄに２つのガイド軸４０１がそれぞれ挿入されることにより、ベースシャーシ３０１に対する図９ないし図１６におけるＡ方向およびＢ方向、Ｃ方向、Ｄ方向の位置を保持しつつ高さ方向（図９ないし図１６におけるＥ方向およびＦ方向）の移動が可能になる。
【００３０】
また、チルト調整部４００は、ベースシャーシ３０１とスピンドルモータ３０２のブラケット３０２ｂの間で、かつ、コイル内径に調整軸４０２が挿入された状態で設けられ、ブラケット３０２ｂをＦ方向に付勢する圧縮コイルバネ４０４を備えている。
【００３１】
調整ネジ４０３のオネジ部４０３ｃが調整軸４０２のメネジ部４０２ａに螺合することで、調整ネジ４０３はベースシャーシ３０１に対して高さ方向に移動可能に構成されている。また、ブラケット３０２ｂに設けた調整穴３０２ｅに調整ネジ４０３のオネジ部４０３ｃが挿入されるとともに、圧縮コイルバネ４０４による付勢により、ブラケット３０２ｂは常に調整ネジ４０３のビット４０３ａを有するネジの頭部４０３ｂとの接触を保っている。この構成により、調整ネジ４０３をベースシャーシ３０１に対して高さ方向に移動させることで、ベースシャーシ３０１に対するスピンドルモータ３０２とターンテーブル３０２ａの高さとを調整することができる。３つの調整軸４０２についてこのような高さ調整を行うことで、ターンテーブル３０２ａに装着されたディスク２００とガイド軸３０
６およびガイド軸３０７との距離を変化させ、光ピックアップ３０３から照射された光ビーム３０３ａの光軸３０３ｂをディスク２００に対して垂直に調整するチルト調整が可能になる。また、この構成により、ターンテーブル３０２ａに装着されたディスク２００と光ピックアップ３０３の高さ方向との距離も同時に一定量に保つように調整可能である。
【００３２】
また、隙間Ｈｇは、ブラケット３０２が通常のチルト調整で移動し得る範囲よりも長い距離を移動して隙間Ｈｇ＝０になる位置までＥ方向に移動しても、圧縮コイルバネ４０４が破損しないように調整軸４０２の高さ寸法が設定されている。この構成により、ディスク装置１００の輸送時に発生し得る落下衝撃において圧縮バネ４０４により与圧保持されているスピンドルモータ３０２に対しバネ荷重以上の衝撃が加わり、スピンドルモータ３０２がベースシャーシ３０１に近づく方向（Ｅ方向）に移動しようとした場合、スピンドルモータ３０２のブラケット３０２ｂと調整軸４０２のストッパ面４０２ｃが接触するため、衝撃等により圧縮バネ４０４が破損するような荷重がかかるのを防止できる。
【００３３】
調整軸４０２のベースシャーシ３０１側（Ｅ方向）の端部にメネジ部４０２ａの外径より大きい径の穴部４０２ｂと、調整ネジ４０３のベースシャーシ３０１側（Ｅ方向）の先端にオネジ部４０３ｃの外径より小さい径の突起部４０３ｄを備えており、両部品の寸法は、チルト調整時に調整ネジ４０３が移動し得る範囲で調整ネジ４０３の突起部４０３ｄの少なくとも一部が調整軸４０２の穴部４０２ｂに位置する長さに構成する。このように、穴部４０２ｂと突起部４０３ｄの間に隙間を設けることで調整ネジ４０３と調整軸４０２の間に確実に接着剤４０５が到達するとともに、接着強度に影響を及ぼす接着剤４０５と調整軸４０２および調整ネジ４０３の接合部がベースシャーシ３０１の表面に露出しない構成が実現できる。また、接着剤４０５の塗布量についても調整軸４０２の穴部４０２ｂから接着剤４０５が流れ出ないことを確認する程度の管理で問題ない。
【００３４】
以上説明したように、本発明の実施の形態のチルト調整部を構成することで、調整ネジ４０３を接着固定する時の作業性向上と、調整ネジ４０３の固定強度確保による信号品質の安定化の両立を実現できる。
【００３５】
なお、上述した実施の形態においては、トラバースモータ３０４と送りネジ３０５が一体の構成としていたが、本発明によれば、光ピックアップ３０３のディスクの内周および外周方向への移動精度や速度に対する要求が低い場合は、トラバースモータ３０４と送りネジ３０５の間に例えばギヤなどの動力伝達機構を設けた構成であっても良い。
【００３６】
また、本実施の形態においては、ガイド軸３０６と３０７で光ピックアップ３０３の内周および外周への移動をガイドする構成としていたが、本発明によれば、光ピックアップ３０３のディスクの内周および外周方向への移動時の動作負荷に対する要求が低い場合は、送りネジ３０５で光ピックアップ３０３の内周および外周への移動の駆動力を伝達するとともに移動をガイドする機能を両立する構成であっても良い。
【００３７】
また、本実施の形態においては、ガイド軸３０６と３０７の両端はベースシャーシ３０１に固定する構成としていたが、本発明によれば、ベースシャーシ３０１のガイド軸３０６と３０７の両端固定部の平坦度が所望の寸法精度に達しない場合は、ガイド軸３０６と３０７の両端の少なくとも１箇所をベースシャーシ３０１に対して高さ方向（Ｅ方向およびＦ方向）に移動させることでガイド軸３０６と３０７の平行度を調整可能な構成であっても良い。
【００３８】
また、本実施の形態においては、ベースシャーシ３０１に設けたガイド軸４０１と調整軸４０２でスピンドルモータ３０２のベースシャーシ３０１に対するＡ方向およびＢ方向、Ｃ方向、Ｄ方向、Ｅ方向、Ｆ方向の位置が決まる構成としていたが、本発明によれば、
ベースシャーシ３０１の形状が複雑になることを許容できる場合は、ベースシャーシ３０１自体にガイド軸４０１と調整軸４０２の形状を設ける構成であっても良い。
【００３９】
また、本実施の形態においては、スピンドルモータ３０２のＥ方向への規制を調整軸４０２に設けたストッパ面４０２ｃとスピンドルモータ３０２のブラケット３０２ｂで構成していたが、本発明によれば、通常のチルト調整で移動し得る範囲から圧縮コイルバネ４０４の破壊までのストロークに余裕があり、かつ、ベースシャーシ３０１やガイド軸４０１の形状が複雑になることを許容できる場合は、ベースシャーシ３０１自体、または、ガイド軸４０１にストッパ部を設ける構成であっても良い。
【００４０】
また、本実施の形態においては、圧縮コイルバネ４０４でベースシャーシ３０１とスピンドルモータ３０２の間の付勢を行う構成としていたが、本発明によれば、ベースシャーシ３０１とスピンドルモータ３０２のブラケット３０２ｂの間のスペースに余裕がない場合は、付勢部材の取付やコスト面で不利ではあるが、圧縮コイルバネ以外の付勢部材（例えば板バネ、引っ張りコイルバネ、ねじりコイルバネなど）で付勢する構成であっても良い。
【００４１】
また、本実施の形態においては、ブラケット３０２ｂが圧縮コイルバネ４０４によってＦ方向に付勢されるとともに、調整ネジ４０３のオネジ部４０３ｃが挿入されて頭部４０３ｂと接触することでベースシャーシ３０１に対する高さ方向（Ｅ方向およびＦ方向）の位置が決まる構成としていたが、本発明によれば、ベースシャーシ３０１とスピンドルモータ３０２のブラケット３０２ｂの間のスペースに余裕がない場合は、ブラケット３０２ｂより下面（Ｆ方向）のスペースは必要となるが、付勢部材でＥ方向に付勢されるとともに、調整ネジの先端とブラケット３０２ｂの近接する接触面同士でベースシャーシ３０１に対する高さ方向（Ｅ方向およびＦ方向）の位置が決まる構成であっても良い。
【００４２】
また、本実施の形態においては、調整軸４０２のメネジ部４０２ａの外径より大きい径の穴部４０２ｂの形状は特に指示していないが、本発明によれば、メネジ部４０２ａの外径より大きい径であれば、円筒形のみでなく、三角穴や四角穴、六角穴や円筒形の内径部にローレット加工を施した穴などで構成しても良い。
【００４３】
また、本実施の形態においては、調整ネジ４０３の先端のオネジ部４０３ｃの外径より小さい径の突起部４０３ｄの形状は特に指示していないが、本発明によれば、オネジ部４０３ｃの外径より小さい径であれば、円筒形のみでなく、三角柱や四角柱、六角柱や円筒形の外径部にローレット加工を施した突起などで構成しても良い。
【００４４】
また、本実施の形態においては、調整軸４０２のベースシャーシ３０１側（Ｅ方向）の端部にメネジ部４０２ａの外径より大きい径の穴部４０２ｂと、調整ネジ４０３のベースシャーシ３０１側（Ｅ方向）の先端にオネジ部４０３ｃの外径より小さい径の突起部４０３ｄを備え、両部品の寸法は、チルト調整時に調整ネジ４０３が移動し得る範囲で調整ネジ４０３の突起部４０３ｄの少なくとも一部が調整軸４０２の穴部４０２ｂに位置する長さで構成していたが、本発明によれば、調整ネジ４０３のオネジ部４０３ｃと突起部４０３ｄの径方向の差が大きく、接着剤４０５が入り込める隙間が十分に確保できる場合は、調整軸４０２は穴部４０２ｂを設けず、メネジ部４０２ａのみとし、調整ネジ４０３のベースシャーシ３０１側（Ｅ方向）の先端にオネジ部４０３ｃの外径より小さい径の突起部４０３ｄを備え、両部品の寸法は、チルト調整時に調整ネジ４０３が移動し得る範囲で調整ネジ４０３の突起部４０３ｄの少なくとも一部が調整軸４０２のメネジ部４０２ａに位置する長さで構成しても良い。
【００４５】
以上のとおり、本発明によれば、調整ネジのオネジ部より先端側にオネジ部の外径より
小さい径の突起部を設けるとともに、チルト調整部で調整ネジが進退し得るストロークでは、調整ネジに設けた突起部の少なくとも一部が前記メネジ部の中に位置するように構成されているため、チルト調整部による調整後、すなわち調整ネジの進退を完了した後、調整ネジをメネジ部に対して接着固定する際に、塗布する接着剤がメネジ部と突起部の間に形成された隙間によりメネジ部の奥まで確実に到達するとともに、接着強度に影響を及ぼす接着剤と前記メネジ部および前記突起部の接合部が部品表面に露出しない構成が実現できる。また、接着剤の塗布量についても前記メネジ部から接着剤が表面に流れ出ないことを確認する程度の比較的簡単な管理で問題ない。よって、調整ネジを接着固定する時の作業性向上と、調整ネジの固定強度確保による信号品質の安定化を両立するディスク装置を提供することができる。
【産業上の利用可能性】
【００４６】
以上のように、本発明にかかるディスク装置は、調整ネジを接着固定する時の作業性向上と、調整ネジの固定強度確保による信号品質の安定化の両立を実現するディスク装置を提供することができるものであり、ディスクの情報記録面に対して光ピックアップから照射された光ビームの光軸を垂直に調整するチルト調整部の調整ネジを接着固定する時の作業性向上と、調整ネジの固定強度確保による信号品質の安定化の両立を図ったディスク装置等として有用である。
【図面の簡単な説明】
【００４７】
【図１】従来のディスク装置のチルト調整部における調整ネジの接着固定方法を示す側面断面図
【図２】従来のディスク装置のチルト調整部における調整ネジの接着固定方法を示す側面断面図
【図３】従来のディスク装置のチルト調整部における調整ネジの接着固定方法を示す側面断面図
【図４】従来のディスク装置のチルト調整部における調整ネジの接着固定方法を示す側面断面図
【図５】電子装置としてのカーオーディオ装置の全体斜視図
【図６】本発明の実施形態のディスク装置の要部の平面図
【図７】本発明の実施形態のディスク記録再生ユニットの要部の平面図
【図８】本発明の実施形態におけるディスク記録再生ユニットの要部のＢ方向矢視図
【図９】本発明の実施形態におけるチルト調整部の要部の平面図
【図１０】本発明の実施形態におけるチルト調整部の要部のベースシャーシ３０１を示す下面図
【図１１】本発明の実施形態におけるスピンドルモータ３０２を示す下面図
【図１２】本発明の実施形態におけるチルト調整部の要部のＡ方向矢視図
【図１３】本発明の実施形態におけるチルト調整部の要部を示す図９におけるＧ−Ｇ断面図
【図１４】本発明の実施形態におけるチルト調整部の要部のＡ方向矢視図
【図１５】本発明の実施形態におけるチルト調整部の要部を示す図９におけるＨ−Ｈ断面図
【図１６】本発明の実施形態におけるチルト調整部の要部を示す図９におけるＨ−Ｈ断面図
【符号の説明】
【００４８】
１  ベースシャーシ
２  調整部材
３  調整ネジ
４  接着剤
１０  カーオーディオ装置（電子装置）
１１  ラジオ
１２  カセットテープ再生装置
１２ａ  カセットテープ挿排口
１３  前面パネル
１３ａ  表示部
１３ｂ  電源／ボリュームつまみ
１００  ディスク装置
１０１  筐体
１０１ａ  ディスク挿排口
２００  ディスク
３００  ディスク記録再生ユニット
３０１  ベースシャーシ
３０２  スピンドルモータ
３０２ａ  ターンテーブル
３０２ｂ  ブラケット
３０２ｃ  ガイド穴
３０２ｄ  ガイド長穴
３０２ｅ  調整穴
３０３  光ピックアップ
３０３ａ  光ビーム
３０３ｂ  光軸
３０４  トラバースモータ
３０５  送りネジ
３０６  ガイド軸
３０７  ガイド軸
３０８  動力伝達部材
３０９  付勢部材
４００  チルト調整部
４０１  ガイド軸
４０２  調整軸
４０２ａ  メネジ部
４０２ｂ  穴部
４０２ｃ  ストッパ面
４０３  調整ネジ
４０３ａ  ビット
４０３ｂ  頭部
４０３ｃ  オネジ部
４０３ｄ  突起部
４０４  圧縮コイルバネ
４０５  接着剤
【図１】
2012043480.tif 000003
【図２】
2012043480.tif 000004
【図３】
2012043480.tif 000005
【図４】
2012043480.tif 000006
【図５】
2012043480.tif 000007
【図６】
2012043480.tif 000008
【図７】
2012043480.tif 000009
【図８】
2012043480.tif 000010
【図９】
2012043480.tif 000011
【図１０】
2012043480.tif 000012
【図１１】
2012043480.tif 000013
【図１２】
2012043480.tif 000014
【図１３】
2012043480.tif 000015
【図１４】
2012043480.tif 000016
【図１５】
2012043480.tif 000017
【図１６】
2012043480.tif 000018